(57)【要約】【課題】簡易な構造を有し、かつ確実に排水容器内に水を溜めて洗浄することが可能な排水装置を提供する。【解決手段】シンク１の使用時は、操作ボタン２３ａを押し下げる。排水栓蓋２１ａが上昇して排水孔１４から離隔し、排水孔１４が開となる。網籠３０が該排水栓蓋２１ａに押し上げられ、該網籠３０の鍔部３１が着脱フランジ１５の下面に当接する。網籠３０の超音波洗浄時は、操作ボタン２３ａをもう１回押す。これにより排水栓蓋２１ａが下降して排水孔１４に着座し、排水孔１４が閉となる。網籠３０が該排水栓蓋２１ａと共に下降し、該網籠３０の鍔部３１が着脱フランジ１５の下面から離隔する。シンク１内に流された水は、鍔部３１と着脱フランジ１５との間に生じた隙間からも排水容器１０内に流入し、溜められる。次いで、超音波発振器４０を作動させる。【選択図】図１
2007285097.tif 000002
【特許請求の範囲】
【請求項１】
シンク底面の開口部に設置され、排水管を接続するための排水孔を底部に備えた排水容器と、該排水孔を開閉するための排水栓と、該排水容器内に配置された網籠を有する排水装置において、
該排水栓に対しレリースを介して操作部が連結され、該操作部の操作によって該排水栓を昇降して該排水孔の開閉を行うことが可能な昇降機構を有しており、
該排水栓に該網籠が載置されており、
該排水容器の上部の内縁にフランジ部が設けられており、
該昇降機構の上昇操作により前記排水栓と共に該網籠が上昇した状態となり、この状態において前記排水孔が開放されるとともに該網籠の上縁部と該フランジ部とが当接し、該昇降機構の下降操作により該排水栓と共に該網籠が下降し、前記排水孔が閉鎖されるとともに該フランジ部と該網籠の上縁部とが離隔した状態となることを特徴とする排水装置。
【請求項２】
請求項１において、前記排水容器に超音波発振装置を設置したことを特徴とする排水装置。
【発明の詳細な説明】
【技術分野】
【０００１】
本発明は、シンク底面の開口部に設置された排水容器と、該排水容器内に配置された網籠を有する排水装置に関する。
【背景技術】
【０００２】
従来、シンク底面の開口部と排水管との間に排水容器を設置し、該排水容器内に網籠を設置して、排水管内にゴミが排出されることを防止している。
【０００３】
特開２００４−３２４１０８号には、網籠に付着した汚れを除去するために、網籠を収容している排水部に超音波発振器を設置した構成が開示されている。当該公報においては、シンクの排水部内に網籠が設けられ、該排水部の側面に給水路が接続され、該排水部の下部に排水弁が設けられている。そして、排水部及び網籠の洗浄を行う際には、排水弁を閉止すると共に給水路から給水することにより排水部内に水を溜め、次いで超音波発振器を作動させる。
【特許文献１】特開２００４−３２４１０８号
【発明の開示】
【発明が解決しようとする課題】
【０００４】
上記特開２００４−３２４１０８号の排水装置にあっては、排水部の側面に給水路を接続する必要があり、構造が複雑なものになる。
【０００５】
なお、該排水装置において給水路を省略し、シンクに設置された蛇口から排水部内に給水する構成にすることも考えられるが、この場合、網籠が汚れで目詰まりしていると、該網籠を通って水が排水部内に流入することができない。このように排水部内に水が溜められない状態では、該排水部内に洗浄剤を入れて漬け置き洗いを行うことができない。また、排水部内に水が溜められない状態で超音波発振器を作動させても排水部及び網籠が十分に洗浄できず、また発熱により排水部等が劣化するおそれがある。
【０００６】
本発明は、簡易な構造を有し、かつ確実に排水容器内に水を溜めて洗浄することが可能な排水装置を提供することを目的とする。
【課題を解決するための手段】
【０００７】
請求項１の排水装置は、シンク底面の開口部に設置され、排水管を接続するための排水孔を底部に備えた排水容器と、該排水孔を開閉するための排水栓と、該排水容器内に配置された網籠を有する排水装置において、該排水栓に対しレリースを介して操作部が連結され、該操作部の操作によって該排水栓を昇降して該排水孔の開閉を行うことが可能な昇降機構を有しており、該排水栓に該網籠が載置されており、該排水容器の上部の内縁にフランジ部が設けられており、該昇降機構の上昇操作により前記排水栓と共に該網籠が上昇した状態となり、この状態において前記排水孔が開放されるとともに該網籠の上縁部と該フランジ部とが当接し、該昇降機構の下降操作により該排水栓と共に該網籠が下降し、前記排水孔が閉鎖されるとともに該フランジ部と該網籠の上縁部とが離隔した状態となることを特徴とするものである。
【０００８】
請求項２の排水装置は、請求項１において、前記排水容器に超音波発振装置を設置したことを特徴とするものである。
【発明の効果】
【０００９】
本発明の排水装置は、昇降機構の上昇操作により前記排水栓と共に該網籠が上昇した状態となり、該網籠の上縁部と該フランジ部とが当接する。この状態でシンクを使用することにより、シンク内に落ちたゴミが該網籠の上縁部と該フランジ部との間から排水容器や排水管に排出されることが防止され、ゴミが網籠によって確実にキャッチされる。また、排水栓が上昇することにより排水孔が開となっているため、水は該排水孔を通って排水管に排出される。
【００１０】
一方、該昇降機構の下降操作により、排水栓が下降して排水孔が閉止される。また、該排水栓と共に該網籠が下降し、該フランジ部と該網籠の上縁部とが離隔した状態となる。この状態でシンクの蛇口等から水を供給することにより、水がこの離隔部を通って排水容器内に供給されるため、仮に網籠が目詰まりしていても、該排水容器内に確実に水が溜められる。このように排水容器内に水が溜まった状態で洗浄剤等を排水容器内に入れることにより、網籠及び排水容器の内側を漬け置き洗いすることができ、網籠及び排水容器の内側に付着したヌメリや汚れ等を取り除くことができる。また、排水容器に水を溜めるための給水路を別途設置する必要がないため、排水装置の構造が簡易なものとなる。
【００１１】
本発明において、排水容器に超音波発振装置を設置してもよい。この場合、排水容器内に水が溜まった状態で超音波発振器を作動させて網籠を超音波洗浄することにより、該網籠及び排水容器の内側を超音波によってより効果的に洗浄することができると共に、排水容器等が発熱により劣化することが防止される。
【発明を実施するための最良の形態】
【００１２】
以下、図面を参照して本発明の実施の形態について詳細に説明する。第１図は実施の形態に係る排水装置が設置されたキッチンの通常時の状態を説明する模式的な断面図、第２図はこのキッチンの洗浄時の状態を説明する断面図、第３図は第１図のキッチンキャビネットの斜視図、第４図は第１図の排水容器の一例を示す斜視図である。
【００１３】
第３図の通り、キッチンキャビネットの上部にシンク１が設置されている。該シンク１のうち奥側の縁部上面１ｃに水栓取付穴１ｄが設けられ、該水栓取付穴１ｄに図示しない水栓が取り付けられる。この水栓取付穴１ｄの隣に操作部取付穴が設けられ、該操作部取付穴に操作部２３が設置されている。
【００１４】
第１図の通り、シンク底面１ａに開口１ｂが設けられている。該開口１ｂに、排水容器１０の上縁が水密に内嵌されている。該排水容器１０の底面に排水孔１４が設けられ、該排水孔１４に排水栓装置２０のメカボックス２１が設置されている。このメカボックス２１はレリース２２を介して、シンク１の縁部上面１ｃに設置された操作部２３に接続されている。
【００１５】
この排水栓装置２０は、例えば実公昭６０−２２１４７号に記載されているような公知のポップアップ式排水栓装置であり、操作部２３の操作ボタン２３ａの動きがレリース２２内のプッシュプルケーブル（図示略）を介してメカボックス２１に伝達される仕組みになっている。即ち、この操作ボタン２３ａを押し下げると、メカボックス２１の上下駆動シャフト（図示略）及び該シャフトの上端に固着された排水栓蓋２１ａが上昇して排水孔１４から離隔する（第１図）。メカボックス２１内には、押し上げられたシャフトの下降を阻止するロックメカニズムが設けられているので、操作ボタン２３ａから手を放しても、シャフト及び排水栓蓋２１ａは上昇状態のままとなる。操作ボタン２３ａをもう１回押すと、このロックメカニズムによるロックが解除され、シャフト及び排水栓蓋２１ａが下降し、排水栓蓋２１ａが排水孔１４の周縁に着座する（第２図）。
【００１６】
この排水容器１０の底面には超音波発振器４０が取り付けられている。図示は省略するが、該超音波発振器４０はハーネスを介して該操作部２３の隣の位置に設置された超音波発振器用スイッチに接続されている。
【００１７】
この排水容器１０内に網籠３０が収容されている。この網籠３０は排水栓蓋２１ａの上面に載置されている。
【００１８】
該排水容器１０の上部内縁に、該内縁に対して着脱可能な着脱フランジ１５が内嵌されている。該着脱フランジ１５は下側ほど内径が小さく、下端面が平坦な環状となっている。該着脱フランジ１５はゴム、樹脂などよりなることが好ましい。なお、第３図ではこのフランジ１５の図示は省略されている。
【００１９】
該網籠３０の上端外縁に環状の鍔部３１が設けられている。
【００２０】
第４図に明瞭に示される通り、排水容器１０は略円筒形を有しており、その上端に、外側に張り出す段部１１と、該段部１１から起立する大径部１２と、該大径部１２の上端から外側に張り出す鍔部１３とが形成されている。該大径部１２に着脱フランジ１５が内嵌し、該段部１１によって該着脱フランジ１５が支持されるようになっている。該排水容器１０の底面に設けられた排水孔１４（第４図では図示略）内に排水栓装置２０のメカボックス２１が設置され、該メカボックス２１にレリース２２が接続されている。排水孔１４の下端に排水管２が接続されている。また、排水容器１０の底面に超音波発振器４０が設置されている。
【００２１】
次に、第１図を参照してシンク使用時における状態を説明する。シンクを使用する際には、排水孔１４を開とすべく操作部２３の操作ボタン２３ａを押し下げる。これにより、排水栓装置２０の排水栓蓋２１ａが上昇して排水孔１４から離隔し、排水孔１４が開となる。また、該排水栓蓋２１ａ上に載置されている網籠３０が該排水栓蓋２１ａに押し上げられて上昇し、該網籠３０の鍔部３１が着脱フランジ１５の下面に当接する。
【００２２】
この状態においてシンク１内で水を使用すると、その水はシンク１の開口１ｂから網籠３０内に流入し、該網籠３０の網目を通過して排水容器１０内に流入し、さらに排水孔１４を介して排水管２内に流入し、トラップ３を通って排出される。また、シンク１に捨てられたゴミは、開口１ｂから網籠３０内に流入し、該網籠３０によってキャッチされる。
【００２３】
なお、第１図の状態においては、網籠３０の鍔部３１が着脱フランジ１５の下面に当接しているため、これら鍔部３１と着脱フランジ１５との間からゴミが排水容器１０の外周側に入り込むことが確実に防止される。
【００２４】
次いで、第２図を参照して網籠３０の超音波洗浄時における状態を説明する。
【００２５】
網籠３０を超音波洗浄する際には、排水孔１４を閉とすべく操作部２３の操作ボタン２３ａをもう１回押す。これにより、排水栓装置２０の排水栓蓋２１ａが下降して排水孔１４に着座し、排水孔１４が閉となる。また、該排水栓蓋２１ａ上に載置されている網籠３０が該排水栓蓋２１ａと共に下降し、該網籠３０の鍔部３１が着脱フランジ１５の下面から離隔する。
【００２６】
この状態においてシンク１内に水を流すと、その水の多くは、シンク１の開口１ｂから網籠３０内に流入し、さらに該網籠３０の網目を通過して排水容器１０内に流入する。また、水の一部はシンク１の開口１ｂからこれら鍔部３１と着脱フランジ１５との間に生じた隙間から排水容器１０内に流入する。ここで、排水孔１４が排水栓蓋２１ａによって閉となっているため、排水容器１０内に流入した水が該排水容器１０内に溜められる。
【００２７】
なお、網籠３０が汚れ等のために目詰まりしていて水が網目を通過できない場合にあっても、水は鍔部３１と着脱フランジ１５との間に生じた隙間から排水容器１０内に流入するため、排水容器１０内に水が確実に溜められる。
【００２８】
排水容器１０内の水位が網籠３０の上端の高さ以上になったところでシンク１からの水の供給を停止し、超音波発振器用スイッチをＯＮにして超音波発振器４０を作動させる。これにより、網籠３０及び排水容器１０が超音波洗浄される。
【００２９】
超音波洗浄後は、操作ボタン２３ａをさらにもう１回押して排水栓蓋２１ａ及び網籠３０を上昇させて第１図の状態とし、排水容器１０や網籠３０内の水を排出する。
【００３０】
上記本実施の形態は本発明の一例であり、本発明は上記実施の形態に限定されない。
【００３１】
例えば、本実施の形態では、排水栓装置の操作部２３及び超音波発振器用スイッチをシンク１の縁部上面１ｃに設けたが、シンク１の側面や上面等に設けてもよい。この場合にあっても、キッチンの前に立ったまま排水栓装置２０や超音波発振器４０を作動させることができる。
【００３２】
また、排水栓蓋２１ａが閉であることを検知したときにのみ、超音波発信器４０の操作が可能となるようにしてもよい。この場合、誤って排水栓蓋２１ａが開の状態のまま超音波発振器４０を作動させてしまうことが防止され、安全性に優れると共に超音波発振器４０の寿命が向上する。かかる構成は、例えば排水栓蓋２１ａの底面に磁性体を設置し、排水栓装置２０のメカボックス２１内に近接式リードスイッチ等のセンサを設けることにより実現することができる。
【００３３】
また、超音波発振器４０は、超音波発振器用スイッチをＯＮにしてから所定時間だけ稼動するようにしてもよい。この場合、より安全性に優れると共に超音波発振器４０の寿命が向上する。
【００３４】
上記実施の形態において、超音波発振器４０は省略されてもよい。この場合、網籠３０及び排水容器１０を洗浄する際には、第２図のように排水栓蓋２１ａで排水孔１４を閉とした状態で排水容器１０内に水を溜め、次いで該排水容器１０内に洗浄剤を入れて漬け置き洗いを行う。これにより、網籠及び排水容器の内側に付着したヌメリや汚れ等を取り除くことができる。この排水装置は、構造がより簡易なものとなる。
【図面の簡単な説明】
【００３５】
【図１】実施の形態に係る排水装置が設置されたキッチンの通常時の状態を説明する模式的な断面図である。
【図２】第１図のキッチンの洗浄時の状態を説明する断面図である。
【図３】第１図のキッチンの斜視図である。
【図４】第１図の排水容器の一例を示す斜視図である。
【符号の説明】
【００３６】
１  シンク
１ｂ  開口
２  排水管
３  トラップ
１０  排水容器
１４  排水孔
１５  着脱フランジ
２０  排水栓装置
２１  メカボックス
２１ａ  排水栓蓋
２２  レリース
２３  操作部
３０  網籠
３１  鍔部
４０  超音波発振器
【図１】
2007285097.tif 000003
【図２】
2007285097.tif 000004
【図３】
2007285097.tif 000005
【図４】
2007285097.tif 000006